(57)【特許請求の範囲】
【請求項１】
所定の間隙を存して並設され、これらの間隙に沿って熱交換空気を流通させる複数枚のフィンと、それぞれのフィンにおける熱交換空気の流通方向とは直交する方向に隣設されるカラー部と、これらカラー部に嵌め込まれ、内部に熱交換媒体を導通させる熱交換パイプと、上記フィンカラー部相互間に設けられる切起し片部とを具備し、
上記切起し片部は、上記カラー部および熱交換パイプの中心点相互を結ぶ中心線上の切起し片部と、この中心線上の切起し片部と上記フィンの側端縁との間に設けられる複数列の切起し片部とからなり、
上記切起し片部は、フィン側端縁に最も近い切起し片部から上記中心線上の切起し片部になるにしたがって、隣り合う列の切起し片部相互間隔が漸次広くなるよう設けられることを特徴とする熱交換器。
【請求項２】
所定の間隙を存して並設され、これらの間隙に沿って熱交換空気を流通させる複数枚のフィンと、それぞれのフィンにおける熱交換空気の流通方向とは直交する方向に隣設されるカラー部と、これらカラー部に嵌め込まれ、内部に熱交換媒体を導通させる熱交換パイプと、上記フィンカラー部相互間に設けられる切起し片部とを具備し、
上記切起し片部は、上記カラー部および熱交換パイプの中心点相互を結ぶ中心線上に設けられ立ち上がり端が熱交換空気の流通方向と平行に設けられる切起し片部と、この中心線上の切起し片部と上記フィンの側端縁との間に設けられ立ち上がり端が中心線上の切起し片部立ち上がり端側に向けて斜めに切り起される複数列の切起し片部とからなり、
上記中心線上に設けられる切起し片部からフィン側端縁に最も近い切起し片部になるにしたがって、熱交換パイプ中心と切起し片部の立ち上がり端との間の距離が漸次狭くなるよう設けられるとともに、
上記中心線上に設けられる切起し片部からフィン側端縁に最も近い切起し片部になるにしたがって、立ち上がり端間の距離が漸次狭くなるように設けられることを特徴とする熱交換器。
【請求項３】
所定の間隙を存して並設され、これらの間隙に沿って熱交換空気を流通させる複数枚のフィンと、それぞれのフィンにおける熱交換空気の流通方向とは直交する方向に隣設されるカラー部と、これらカラー部に嵌め込まれ、内部に熱交換媒体を導通させる熱交換パイプと、上記フィンカラー部相互間に設けられる切起し片部とを具備し、
上記切起し片部は、少なくとも、熱交換パイプの中心点から両側３０°下方へ降ろした線を上記カラー部外周面と交差させ、この交点からさらに鉛直下向きに降ろした線の相互間に存在させ、
しかも、この切起し片部のフィンから立ち上がる立ち上がり端と上記カラー部外周面との最短距離Ｌ１と、カラー部外周の直径Ｄｃとの比Ｌ１／Ｄｃが、
Ｌ１／Ｄｃ  ≧  ０．２５
となるように設定され、
上記切起し片部は、上記カラー部および熱交換パイプの中心点相互を結ぶ中心線上の切起し片部と、この中心線上の切起し片部と上記フィンの側端縁との間に設けられる複数列の切起し片部とからなり、
上記切起し片部は、フィン側端縁に最も近い切起し片部から上記中心線上の切起し片部になるにしたがって、隣り合う列の切起し片部相互間隔が漸次広くなるよう設けられ、
さらに、上記中心線上からフィン側端縁を直視した状態で、各列の切起し片部における立ち上がり端が重ならないように設けられるとともに、上記中心線上に設けられる切起し片部からフィン側端縁に最も近い切起し片部になるにしたがって、熱交換パイプ中心と切起し片部の立ち上がり端との間の距離が漸次狭くなるよう設けられることを特徴とする熱交換器。
【発明の詳細な説明】
【０００１】
【発明の属する技術分野】
本発明は、たとえば空気調和機に用いられる熱交換器に係り、特に、熱交換器を構成するフィンに立ち上がり加工される切起し片部に関する。
【０００２】
【従来の技術】
たとえば空気調和機における冷凍サイクルの構成部品として、圧縮機や弁類などの他に、熱交換器が備えられる。空気調和機が室内機と室外機とから構成される場合は、そのいずれのユニットにも熱交換器が必要となる。
これら熱交換器は、所定の間隙を存して並設され、上記間隙に沿って熱交換空気を流通させる複数枚のフィンと、これらフィンを貫通して設けられ、その内部に冷媒を導通させる熱交換パイプとからなる、いわゆるフィンチューブタイプのものが多用される。
【０００３】
そして、熱交換器における熱交換効率の向上を図るため、上記フィンに切起し部を設けるのが、近時の傾向となっている。フィンの板厚は極く薄いので、たとえばプレス加工にてフィンを型抜きするとともに、上記切起し部を同時加工するようになっている。
この切起し部は、熱交換空気の流通方向とは直交する方向に隣設された熱交換パイプ相互間に設けられる。また、フィンの一面側に熱交換パイプが挿通するカラー部が突設されていて、切起し部の突出方向と同一方向に突出する。
【０００４】
【発明が解決しようとする課題】
このように、空気調和機用の室内熱交換器においては、フィンに多数の切起し部を設けることによって熱交換効率の向上を図ってきた。そして、上記切起し部に対して様々な工夫がなされてきた。
たとえば、特開平１１−３０４３８８号公報に記載されている熱交換器のように、切起し部の数を増やすことによるフィンの分断や、交互に異なる方向に切起すオフセットによって温度境界層を薄くしたり、切起し部の面積の割合を増やすことが重要と考えられている。
【０００５】
しかしながら、多数の切起し部を有する熱交換器では、ドレン水が生成してフィン表面に付着した場合に切起し部に溜まり易く、そのため通風抵抗が増大して熱交換効率が低下する。
さらには、熱交換空気の流れにドレン水が載って飛散し、室内に滴下することもある。特に、長期の使用に亘ると経年変化があり、フィン表面の親水被膜の劣化がある。
【０００６】
また、合成樹脂材や建材の防腐剤・接着剤などに含まれるホルムアルデヒト、トルエンなどの揮発性有機化合物（ＶＯＣガスと呼ばれる）が室内空気中に存在すると、フィン表面に付着してフィン表面が撥水化してしまう。
ＶＯＣガスの発生は、住宅建材の多様化や住宅の気密性の向上などにより、さらに増加する傾向にある。フィン表面が撥水化するとドレン水の潤滑な排水が行われなくなり、熱交換効率の低下や、ドレン水飛散等の問題が助長する。このような問題は、熱交換性能を向上するために、フィンピッチを１．５ｍｍ以下にしたときに顕著に生じる。
【０００７】
本発明は上記事情に着目してなされたものであり、その目的とするところは、熱交換空気と熱交換する際に生成されるドレン水の処理の円滑化を図って、ドレン水の滴下や飛散を防止し、通風抵抗の減少をなして、熱交換効率の向上を得られる熱交換器を提供しようとするものである。
【０００９】
【課題を解決するための手段】
本発明の熱交換器は上記目的を満足するためになされたものであり、所定の間隙を存して並設されこれらの間隙に沿って熱交換空気を流通させる複数枚のフィンと、それぞれのフィンにおける熱交換空気の流通方向とは直交する方向に隣設されるカラー部と、これらカラー部に嵌め込まれ内部に熱交換媒体を導通させる熱交換パイプと、フィンカラー部相互間に設けられる切起し片部とを具備し、上記切起し片部は、カラー部および熱交換パイプの中心点相互を結ぶ中心線上の切起し片部と、この中心線上の切起し片部とフィンの側端縁との間に設けられる複数列の切起し片部とからなり、上記切起し片部は、フィン側端縁に最も近い切起し片部から上記中心線上の切起し片部になるにしたがって隣り合う列の切起し片部相互間隔が漸次広くなるよう設けられる。
さらに、上記フィン側端縁に最も近い切起し片部は、カラー部外周面のフィン側端縁に最も近い点より鉛直下向きに降ろした線と、フィン側端縁との間に設けてもよい。
【００１１】
本発明の熱交換器は上記目的を満足するためになされたものであり、所定の間隙を存して並設され、これらの間隙に沿って熱交換空気を流通させる複数枚のフィンと、それぞれのフィンにおける熱交換空気の流通方向とは直交する方向に隣設されるカラー部と、これらカラー部に嵌め込まれ、内部に熱交換媒体を導通させる熱交換パイプと、上記フィンカラー部相互間に設けられる切起し片部とを具備し、
上記切起し片部は、上記カラー部および熱交換パイプの中心点相互を結ぶ中心線上に設けられ立ち上がり端が熱交換空気の流通方向と平行に設けられる切起し片部と、この中心線上の切起し片部と上記フィンの側端縁との間に設けられ立ち上がり端が中心線上の切起し片部立ち上がり端側に向けて斜めに切り起される複数列の切起し片部とからなり、
上記中心線上に設けられる切起し片部からフィン側端縁に最も近い切起し片部になるにしたがって、熱交換パイプ中心と切起し片部の立ち上がり端との間の距離が漸次狭くなるよう設けられるとともに、上記中心線上に設けられる切起し片部からフィン側端縁に最も近い切起し片部になるにしたがって、立ち上がり端間の距離が漸次狭くなるように設けられる。
【００１２】
さらに、少なくとも、フィンの側端縁に最も近い切起し片部は、その立ち上がり端が斜めに切り起されるようにしてもよい。
さらに、上記斜めに切り起こされる立ち上がり端は、中心線上の切起し片部立ち上がり端に向けて斜めとしてもよい。
さらに、上記斜めに切り起こされる立ち上がり端は、その傾斜最大角度が３５度以下に設定してもよい。
さらに、上記中心線上における切起し片部の立ち上がり端は、熱交換空気の流通方向と平行に設けてもよい。
さらに、上記フィンは、その表面に親水性処理が施されていてもよい。
【００１３】
本発明の熱交換器は上記目的を満足するためになされたものであり、所定の間隙を存して並設されこれらの間隙に沿って熱交換空気を流通させる複数枚のフィンと、それぞれのフィンにおける熱交換空気の流通方向とは直交する方向に隣設されるカラー部と、これらカラー部に嵌め込まれ内部に熱交換媒体を導通させる熱交換パイプと、フィンカラー部相互間に設けられる切起し片部とを具備し、上記切起し片部は少なくとも熱交換パイプの中心点から両側３０°下方へ降ろした線を上記カラー部外周面と交差させこの交点からさらに鉛直下向きに降ろした線の相互間に存在させ、しかも、この切起し片部のフィンから立ち上がる立ち上がり端とカラー部外周面との最短距離Ｌ１と、カラー部外周の直径Ｄｃとの比Ｌ１／Ｄｃが、Ｌ１／Ｄｃ≧０．２５となるように設定され、上記切起し片部はカラー部および熱交換パイプの中心点相互を結ぶ中心線上の切起し片部と、この中心線上の切起し片部とフィンの側端縁との間に設けられる複数列の切起し片部とからなり、フィン側端縁に最も近い切起し片部から中心線上の切起し片部になるにしたがって隣り合う列の切起し片部相互間隔が漸次広くなるよう設けられ、さらに中心線上からフィン側端縁を直視した状態で各列の切起し片部における立ち上がり端が重ならないように設けられるとともに中心線上に設けられる切起し片部からフィン側端縁に最も近い切起し片部になるにしたがって熱交換パイプ中心と切起し片部の立ち上がり端との間の距離が漸次狭くなるよう設けられる。
【００１４】
このような課題を解決する手段を採用することにより、熱交換空気と熱交換する際に生成されるドレン水の処理の円滑化を図って、ドレン水の滴下や飛散を防止し、通風抵抗の減少をなして、熱交換効率の向上を得られる。
【００１５】
【発明の実施の形態】
以下、本発明の実施の形態を図面にもとづいて説明する。
図１は、たとえば空気調和機の室内機に用いられる熱交換器、すなわち室内熱交換器の一部を拡大した斜視図である。ここでは、イメージ図として示しており、細部は模式的に表現している。
この室内熱交換器は、所定の間隙を存して並設され、これらの間隙に沿って熱交換空気を流通させる複数枚のフィン１と、これらフィン１を貫通して設けられ、内部に冷媒を導通させる図示しない熱交換パイプとから構成される。
【００１６】
上記フィン１の長手方向に沿い所定間隔を存して、かつフィンの短手方向に２列のカラー部２が突設されている。これらカラー部２の突出量は、フィン１相互の間隙量とほとんど同一である。
上記各列のカラー部２は、互いに千鳥状の位置に設けられていて、長手方向の相互間に対向している。それぞれのカラー部２には、後述する熱交換パイプが挿通するようになっている。
上記フィン１の長手方向であるカラー部２相互間には、複数列の切起し片部３が設けられる。図１はイメージ図であるので、上記切起し片部３は後述する実際のものとは相違した形態となっている。
【００１７】
図２は、上記熱交換器の一部を概略的に示す断面図である。
熱交換空気の流通方向に沿って一対のフィン１，１が隣接した状態に配置され、熱交換器が構成される。各フィン１には、熱交換空気の流通方向とは直交する方向である、フィン１の長手方向に一列で、かつ所定間隔を存して熱交換パイプ４が挿通される。
【００１８】
上記熱交換パイプ４は、先に説明したフィン１に設けられるカラー部２に嵌め込まれており、したがって各列の熱交換パイプ４は、互いに千鳥状の位置になるよう長手方向の相互間に対向している。
熱交換空気は、図で矢印で示すように熱交換器の一側部から吹き付けられ、フィン１相互間を流通して他側端から流出する。熱交換空気はフィン１を流通する間に、フィン１と熱交換するとともに、フィン１相互の熱交換パイプ４に衝突して熱交換する。
【００１９】
左右列のフィン１において、熱交換パイプ４を千鳥状に介挿しているので、熱交換空気は全ての熱交換パイプ４に衝突することとなり、極めて有効な熱交換作用が行われる。
上記フィン１の、熱交換空気の流通方向とは直交する方向に隣設されたカラー部２と熱交換パイプ４相互間に、上記複数列の切起し片部３が設けられる。各列の切起し片部３は、上下部が立ち上がり端をなし、これら相互間がフィン１面と並行でカラー部２の突出量よりも小さい突出量の切起し加工となっている。
【００２０】
したがって、熱交換器として組立てられた状態で熱交換空気をフィン１相互間に流通させると、熱交換空気はフィン１面に沿うとともに、切起し片部３に沿って流通し、極めて有効な熱交換作用が得られる。
図３は、図２に示す熱交換器の一部を拡大した図であり、後述する設定条件を備えている。
【００２１】
すなわち、カラー部２と熱交換パイプ４の中心点Ｏａから左右両側に３０°傾けた線Ｌａ，Ｌａを図の下方へ降ろし、これらの線とカラー部２外周面とが交差する点Ｏｂを求める。さらに、この交点Ｏｂから鉛直下方向へ線Ｌｂを降ろす。鉛直下方向へ降ろす線Ｌｂは、流通する熱交換空気の上流側と下流側の両方にあり、一対、平行に引かれる。
少なくとも、これら鉛直下方向に降ろした一対の線Ｌｂ，Ｌｂの相互間に挟まれた範囲に、上記切起し片部３が存在しなければならない。
【００２２】
この切起し片部３の立ち上がり端ａと、上方部位に設けられるカラー部２の外周面との最短距離をＬ１とし、カラー部２の直径をＤｃとした場合、Ｌ１とＤｃとの比が、後述するように  Ｌ１／Ｄｃ  ≧  ０．２５  となるよう設定されることを特徴としている。
上記熱交換器が空気調和機の室内機に配置され、冷凍サイクル運転にともなって蒸発器として作用するときに、熱交換空気との熱交換にともなって空気中の水蒸気がフィン１面上で結露し、ドレン水が生成される。
【００２３】
このとき、フィン１表面と、フィン１に設けられるカラー部２上にあるドレン水は、上部から下部へ流れる。カラー部２と、このカラー部２の下方に設けられる切起し片部３の立ち上がり端ａとの間隔が狭いと、ドレン水はこれらの間に溜まり、通風抵抗となり、飛散し、滴下し易い。
そこで、上述の  Ｌ１／Ｄｃ≧０．２５  となるように設定することにより、フィンカラー部２と切起し片部３の立ち上がり端ａとの間に充分な隙間が存在する。したがって、生成されたドレン水は溜まることなく流下して、通風抵抗増大およびドレン水の飛散と滴下を防止し、熱交換効率の向上が得られる。
【００２４】
図４は、さらに設定条件を説明するための、熱交換器の一部を拡大して示す断面図である。
熱交換空気の流通方向と直交する方向に隣設されるカラー部２および熱交換パイプ４の中心点Ｏａ相互を結ぶ中心線Ｌｃ上を熱交換空気が流通するとき、空気流速が最も速くなる。したがって、この中心線Ｌｃに沿って溜まるドレン水に対して最も影響が大きい。
【００２５】
上下の熱交換パイプ４相互間における適宜の位置で、かつ熱交換空気の流通方向と平行に設定した基準線Ｌｄからカラー部２の外周面までの間隔をＬ２とし、上記基準線Ｌｄから熱交換パイプ４の中心点Ｏａより左右両側に３０°降ろした線Ｌａがカラー部２外周面と交差する点Ｏｂまでの間隔をＬ３としたとき、Ｌ２とＬ３は、ほとんど差がない。
【００２６】
すなわち、上記熱交換パイプ４は通常、円管であるため、熱交換パイプ４の下方６０°の範囲では、熱交換パイプ４相互間に流通する熱交換空気の流れ幅の長さがほとんど変わらない。これを数式化すると、
Ｌ３  ＝  Ｌ２＋０．０６７×Ｄｃ  ……（ａ）
（ａ）式を満足するようになる。
【００２７】
図５は、たとえば空気調和機が冷房運転した場合の、熱交換器に生成されたドレン水が熱交換パイプ４およびフィンカラー部２に溜まる状態を示している。ドレン水は、熱交換パイプ４およびカラー部２の下部側に集中して溜まり、肥大化する。溜まったドレン水の大きさにもよるが、熱交換パイプ４の中心点から約６０°の範囲内である。
【００２８】
図６は、熱交換器における上述の現象から、フィン１とカラー部２および切起し片部３に対する設定条件を求めるため、熱交換パイプ４とカラー部２の下方部位における必要な平坦部の広さを実験的に調べたものである。
横軸に、カラー部２外周面と切起し片部３の立ち上がり端ａとの最小隙間Ｌ１と、カラー部２の直径Ｄｃに対する割合（Ｌ１／Ｄｃ）をとり、縦軸に、フィン１にドレン水が付着した場合と、ドレン水が付着しておらずフィン１表面が乾いた状態との通風抵抗の比をとっている。
【００２９】
そして、フィン１とフィン１との相互の間隔である、フィンピッチＦＰが１．１ｍｍと、１．３ｍｍおよび１．５ｍｍの３種類の熱交換器を用意してデータをとった。
いずれのフィンピッチＦＰにおいても、カラー部２の外周面と立ち上がり端ａとの最小隙間Ｌ１のカラー部２の直径Ｄｃに対する割合Ｌ１／Ｄｃが０．２５以上になると、ドレン水の影響による通風抵抗の増大割合が減少することが分かった。そこで上述の設定条件である  Ｌ１／Ｄｃ  ≧  ０．２５  が得られることとなる。
【００３０】
フィンピッチＦＰの相違によって、ドレン水付着の影響が異なっている。フィンピッチＦＰが狭いほどドレン水付着の影響が大きいため、本発明の効果も大きくなる。
したがって、フィンピッチを１．５ｍｍもしくはそれ以下に設定しても、ドレン水付着の影響を小さくでき、熱交換性能にもとづいてフィンピッチを１．５ｍｍ以下の、たとえば１．１〜１．３ｍｍに設定することができる。
【００３１】
図７は、フィン１に加工される切起し片部３Ａの形態が、上述のものとは異なる熱交換器の一部の断面図である。
カラー部２と熱交換パイプ４の中心点Ｏａから左右両側に３０°傾けた線Ｌａを図の下方へ降ろし、この線Ｌａがカラー部２の外周面と交差する点Ｏｂを求める。
【００３２】
さらに、この交点Ｏｂから鉛直下方向へ線Ｌｂを降ろす。鉛直下方向へ降ろす線Ｌｂは、流通する熱交換空気の上流側と下流側の両方にあり、一対、平行に引かれる。
ここでは、これら鉛直下方向に引いた線Ｌｂの線上に切起し片部３Ａが存在している。これら切起し片部３Ａの上端に形成される立ち上がり端ａと、上部のカラー部２の外周面との最短距離がＬ１となる。
【００３３】
当然、熱交換パイプ４とフィンカラー部２の下方部位に、図示しないドレン水が溜まる。上記鉛直下方向に引いた線Ｌｂ上の切起し片部立ち上がり端ａとカラー部２の外周面との間に充分な隙間が形成されているので、ドレン水が溜まることがない。
図８は、他の設定条件を説明するための熱交換器の一部の断面図である。
熱交換空気の流通方向とは直交する方向に隣設されたカラー部２と熱交換パイプ４の中心点Ｏａ相互を結ぶ中心線Ｌｃ上に切起し片部３ａが設けられ、さらにこの切起し片部３ａからフィン１の両側端縁ｂとの間に複数列の切起し片部３ｂ，３ｃが設けられている。
【００３４】
この場合、フィン側端縁ｂに最も近い切起し片部３ｃから中間列の切起し片部３ｂを経て、中心線Ｌｃ上にある切起し片部３ａになるにしたがって、隣り合う列の切起し片部３ａ，３ｂ，３ｃの相互間隔が漸次広くなるよう設定されている。
すなわち、フィン１の側端縁ｂに最も近い切起し片部３ｃと、中間列の切起し片部３ｂとの間隔をＬ４，中間列の切起し片部３ｂと中心軸線Ｌｃ上の切起し片部３ａとの間隔をＬ５とすると、  Ｌ４＜Ｌ５  となる。
【００３５】
このように、切起し片部３ｃの相互間隔を、熱交換パイプ４相互の中心点Ｏａを結ぶ中心線Ｌｃ側ほど広く設定することで、切起し片部３による熱交換効率の向上を得られ、ドレン水流下の通り道を確保し通風抵抗の低減が図れる。
【００３６】
図９は、さらに異なる設定条件を説明するための熱交換器の一部断面図である。
熱交換空気の流通方向とは直交する方向に隣設される熱交換パイプ４の中心点Ｏａ相互を結ぶ中心線Ｌｃ上に沿って切起し片部３ａが設けられるとともに、この切起し片部３ａからフィン１の側端縁ｂとの間に複数列の切起し片部３ｂ，３ｃが設けられる。
【００３７】
そして、フィン側端縁ｂに最も近い切起し片部３ｃは、カラー部２外周面におけるフィン側端縁ｂに最も近い点Ｏｃから鉛直下向きに降ろした線Ｌｄと、フィン側端縁ｂとの間（図にハッチングＨで示す範囲）に存在する。
したがって、フィンカラー部２上に生成されたドレン水がハッチング範囲Ｈ内に流れ難くなる反面、フィン１下方へ円滑に導くことができ、ドレン水の滴下や飛散を防止する。
【００３８】
図１０は、さらに異なる設定条件を説明するための熱交換器の一部断面図である。
熱交換空気の流通方向とは直交する方向に隣設されるカラー部２と熱交換パイプ４の中心点Ｏａ相互を結ぶ中心線Ｌｃ上に沿って切起し片部３ａが設けられるとともに、この切起し片部３ａからフィン１の側端縁ｂまでの間に複数列の切起し片部３ｂ，３ｃが設けられることを前提としている。
【００３９】
図の左側のみ示すように、中心線Ｌｃ上に設けられる切起し片部３ａの立ち上がり端ａ１は、熱交換空気の流通方向と平行に立ち上がっているのに対して、中間列の切起し片部３ｂとフィン側端縁ｂに最も近い切起し片部３ｃの立ち上がり端ａ２，ａ３は、斜めに立ち上がっている。
そして、フィン１の上記中心線Ｌｃからフィン側端縁ｂを直視した状態で、各列の切起し片部３ａ，３ｂ，３ｃの立ち上がり端ａ１，ａ２，ａ３が重ならないように構成される。
【００４０】
すなわち、熱交換器の伝熱性能において、切起し片部３の果たす役割は大であるが、特に、切起し片部３の両端に形成される立ち上がり端ａは優れた伝熱促進機能を備えている。
伝熱促進効率を最も高く保持するように、立ち上がり端ａ１，ａ２，ａ３を熱交換空気の流通方向に重ならないように構成する。このことから、全ての切起し片部３の立ち上がり端ａに、比較的、熱交換が進んでいない熱交換空気を当てることができ、熱交換器の蒸発性能を向上させることができる。熱交換器を凝縮器として用いた場合においても、同様の作用効果が得られる。
【００４１】
図１１は、さらに異なる設定条件を説明するための熱交換器一部を拡大した断面図である。
熱交換空気の流通方向とは直交する方向に隣設されるカラー部２と熱交換パイプ４相互の中心点Ｏａを結ぶ中心線Ｌｃ上に切起し片部３ａが設けられるとともに、この切起し片部３ａからフィン１の側端縁ｂまでの間に複数列の切起し片部３ｂ，３ｃが設けられることを前提としている。
【００４２】
各列の切起し片部３ａ，３ｂ，３ｃの立ち上がり端ａ１，ａ２，ａ３が上記中心線Ｌｃ上からフィン側端縁ｂに近くなるほど、熱交換パイプ中心点Ｏａから熱交換空気の流通方向に沿って引いた線Ｌｅと、立ち上がり端ａ１，ａ２，ａ３との距離が漸次小さくなるよう設定されている。
また、上記中心線Ｌｃからフィン側端縁ｂになるにしたがって、隣り合う切起し片部３ａ，３ｂ，３ｃの立ち上がり端ａ１，ａ２，ａ３間の熱交換空気流通方向とは直交する方向の距離が漸次狭くなるよう構成される。
【００４３】
図において、Ｌ６は熱交換パイプ４の中心点Ｏａからフィン１の側端縁ｂに最も近い切起し片部３ｃの立ち上がり端ａ３で傾斜下端までの距離、Ｌ７は熱交換パイプ中心点Ｏａから中間列切起し片部３ｂの立ち上がり端ａ２で傾斜上端までの距離、Ｌ８は中間列切起し片部３ｂの立ち上がり端ａ２で傾斜下端までの距離、Ｌ９は熱交換パイプ４の中心点Ｏａから中心線Ｌｃ上の切起し片部３ａ立ち上がり端ａ１までの距離である。
【００４４】
ここでは、Ｌ６＜Ｌ７，Ｌ８＜Ｌ９であり、しかも、  Ｌ７−Ｌ６＜Ｌ９−Ｌ８  と設定されることになる。
通常、熱交換パイプ４の熱交換空気流通の下流側は止水域となり、熱交換空気の気流が淀み易いので、伝熱的にはさほど有用の部分ではない。この止水域を小さくするため、たとえば熱交換パイプ周囲に沿って切起しを設け、気流を熱交換パイプの下流側に回り込ませるようにしていた。しかしながら、通風抵抗が増大するために昨今の空気調和機のごとき増加化した風量に対処できない。
【００４５】
これに対して図１１のように構成することにより、熱交換空気の気流を熱交換パイプ４周りおよび、熱交換パイプ４周りに設けた切起し片部３ａ，３ｂ，３ｃの立ち上がり端ａ１，ａ２，ａ３の周囲に効率よく導くことができる。通風抵抗が低減して、伝熱促進効果の高い熱交換器を提供することができる。
すなわち、Ｌ６＜Ｌ７，Ｌ８＜Ｌ９であることによって、切起し片部３ａ，３ｂ，３ｃの立ち上がり端ａ１，ａ２，ａ３の順に隙間ができ、立ち上がり端の周囲に空気流が剥離することなく流れ易くなる。立ち上がり端ａ１，ａ２，ａ３の伝熱促進を非常に高く保持でき、この両側に充分な空気流が存在する。
【００４６】
また、  Ｌ７−Ｌ６＜Ｌ９−Ｌ８  であることによって、熱交換パイプ４下流側に過度に熱交換空気流を導かずにすみ、よって通風抵抗の増大を防止して、風速分布の改善に役立てられる。
図１２は、上述の設定条件をさらに説明するための熱交換器一部を拡大した断面図である。
【００４７】
熱交換空気の流通方向とは直交する方向に隣設されるカラー部２と熱交換パイプ４相互の中心点Ｏａを結ぶ中心線Ｌｃ上の切起し片部３ａから、中間列の切起し片部３ｂを介してフィン側端縁ｂに近い切起し片部３ｃになるにしたがって、切起し片部３ａ，３ｂ，３ｃの立ち上がり端ａ１，ａ２，ａ３の角度を大きく（Ａ＜Ｂ）設定し、熱交換パイプ４の下流側に気流を導き易くする。
そして、通風抵抗の増大を抑制するため、フィン側端縁ｂに最も近い切起し片部３ｃにおける立ち上がり端ａ３の角度（図におけるＢ）を３５°以下に設定する。
【００４８】
なお、風速分布の改善および通風抵抗の抑制のため、上記中心線Ｌｃ上の切起し片部３ａの立ち上がり端ａ１は、熱交換空気の流通方向と平行であることが望ましい。
以上説明したフィン１に設けられる切起し片部３は、カラー部２と熱交換パイプ４の中心点Ｏａ相互を結ぶ中心線Ｌｃに対して左右に対称的に切起し片部３が設けられているが、これに限定されるものではなく、非対称的に構成されるものも含まれる。
さらに、上記フィン１は、その表面に親水性処理が施されている。このことにより、長期の使用に耐え、いわゆるＶＯＣガスに侵され難くなり、ドレン水が溜まることをより確実に阻止できる。
【００４９】
【発明の効果】
以上説明したように本発明の熱交換器は、熱交換空気と熱交換する際に生成されるドレン水の処理の円滑化を図って、ドレン水の滴下や飛散を防止し、通風抵抗の減少をなして、熱交換効率の向上を得られる等の効果を奏する。
【図面の簡単な説明】
【図１】本発明の実施の形態を示す、熱交換器一部のイメージを表す斜視図。
【図２】同実施の形態を示す、熱交換器一部の断面図。
【図３】同実施の形態を示す、設定条件を説明する熱交換器一部の断面図。
【図４】同実施の形態を示す、さらに設定条件を説明するための熱交換器一部の断面図。
【図５】同実施の形態を示す、ドレン水の生成状態を説明する熱交換器一部の断面図。
【図６】同実施の形態を示す、図４の設定条件を説明する特性図。
【図７】同実施の形態を示す、さらに異なる設定条件を説明する熱交換器一部の断面図。
【図８】同実施の形態を示す、さらに異なる設定条件を説明する熱交換器一部の断面図。
【図９】同実施の形態を示す、さらに異なる設定条件を説明する熱交換器一部の断面図。
【図１０】同実施の形態を示す、さらに異なる設定条件を説明する熱交換器一部の断面図。
【図１１】同実施の形態を示す、さらに異なる設定条件を説明する熱交換器一部の断面図。
【図１２】同実施の形態を示す、さらに異なる設定条件を説明する特性図。
【符号の説明】
１…フィン、
２…カラー部、
４…熱交換パイプ、
３，３ａ，３ｂ，３ｃ…切起し片部、
ａ，ａ１，ａ２，ａ３…立ち上がり端。
【図１】
0003863034.tif 000002
【図２】
0003863034.tif 000003
【図３】
0003863034.tif 000004
【図４】
0003863034.tif 000005
【図５】
0003863034.tif 000006
【図６】
0003863034.tif 000007
【図７】
0003863034.tif 000008
【図８】
0003863034.tif 000009
【図９】
0003863034.tif 000010
【図１０】
0003863034.tif 000011
【図１１】
0003863034.tif 000012
【図１２】
0003863034.tif 000013